(57)【要約】【課題】ディスクと外部装置間の電気信号の確実な送受信を可能としてディスク利用分野の拡張性を格段に改善しつつ、設計の自由度が格段に向上し、低コストで簡単な構成のディスクドライブ装置、ディスク信号処理システム並びにディスクを提供する。【解決手段】ディスク１の中央凹部１０の第1の底部１２は磁石又は磁性材を有し、中央凹部１０には少なくとも1個の電子機能部４が設けられる。第１の底部１２の裏面には電子機能部４と電気的に接続された第１の導電部２が設けられる。ディスクは、ターンテーブル１００に載置される。ターンテーブル１００は、中央凹部１０の第1の底部１２を含む外周部を収納し、磁性材又は磁石を有し、第１の底部１２の裏面と対向し、第１の導電部２と対向する第２の導電部１０７が形成された第２の底部を有する第２の凹部を備える。第１と第２の導電部２と１０７間は磁力によるクランプ機能で密着され、電気的に接続される。【選択図】図２
2006344269.tif 000002
【特許請求の範囲】
【請求項１】
中央部に磁石又は磁性材部が設けられたディスクが載置されるターンテーブルに磁性材部又は磁石が設けられ、両者間の磁気力により前記ディスクをターンテーブル上に吸着、密着して回転駆動するディスクドライブ装置において、
前記ディスクには電子的機能部が設けられ、前記密着される部位には前記電子的機能部が電気的に接続されている導電部が設けられ、前記ターンテーブル上の導電部と電気的に接続されている導電部が設けられ、前記ディスクとターンテーブルの導電部間を密着させて前記ディスクを回転駆動することを特徴とするディスクドライブ装置。
【請求項２】
中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられたディスクが載置されるターンテーブルを備えるディスクドライブ装置であって、
前記ターンテーブルは、前記ディスクの前記中央凹部の前記第1の底部を含む外周部を収納し、磁性材又は磁石を有し、前記第１の底部の裏面と対向し、前記第１の導電部と対向する第２の導電部が形成された第２の底部を有する第２の凹部を備え、
前記第１の導電部と前記第２の導電部間が前記磁石または磁性材に基づく磁力によるクランプ機能によって密着され、電気的に接続されることを特徴とするディスクドライブ装置。
【請求項３】
中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられたディスクが載置されるターンテーブルを備えるディスクドライブ装置の前記ターンテーブルは、前記ディスクの前記中央凹部の前記第1の底部を含む外周部を収納し、磁性材又は磁石を有し、前記第１の底部の裏面と対向し、前記第１の導電部と対向する第２の導電部が形成された第２の底部を有する第２の凹部を備え、前記第１の導電部と前記第２の導電部間が前記磁石または磁性材に基づく磁力によるクランプ機能によって密着され、電気的に接続されることにより前記第１の導電部と前記第２の導電部間で信号の授受を行うことを特徴とするディスク信号処理システム。
【請求項４】
中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられたディスクが載置されるターンテーブルを備えるディスクドライブ装置の前記ターンテーブルは、前記ディスクの前記中央凹部の前記第1の底部を含む外周部を収納し、磁性材又は磁石を有し、前記第１の底部の裏面と対向し、前記第１の導電部と対向する第２の導電部が形成された第２の底部を有する第２の凹部を備え、前記第１の導電部と前記第２の導電部間が前記磁石または磁性材に基づく磁力によるクランプ機能によって密着され、電気的に接続されることにより前記第１の導電部と前記第２の導電部間で信号の授受を行うことを特徴とするディスク信号処理システム。
【請求項５】
中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられていることを特徴とするディスク。
【請求項６】
中央部に磁石又は磁性材部を有し、所定部位に少なくとも１個の電子的機能部が設けられ、前記ターンテーブルとの対向面には前記電子的機能部が電気的に接続されている導電部が設けられていることを特徴とするディスク。
【発明の詳細な説明】
【技術分野】
【０００１】
本発明はディスクドライブ装置、ディスク信号処理システム及びディスクに関し、例えば、ディスク（回転記録媒体）とディスクドライブ装置間での信号の送受信を簡単な構成で確実に行なうディスクドライブ装置、ディスク駆動方法及びディスクに関する。
【背景技術】
【０００２】
光ディスクは、主にポリカーボネート等の樹脂のようなきわめて廉価な素材で構成されるにもかかわらず記録できるデータ量が非常に多く、コストパフォーマンス面できわめて有利であるため、将来の記録媒体として最も有望である。
【０００３】
光ディスクに記録されている情報を読み出し、又は情報を書き込む（読み出し／書き込み）ためにはディスクドライブ装置が使用される。ディスクドライブ装置は、光ディスクをターンテーブル上に載置し、クランパによりクランプし、スピンドルモータで回転させて、レーザ光を照射し、光ディスク表面からの反射光を受光し、復調することにより記録信号を読み出すように構成している。かかるディスクドライブ装置の代表的構成例が特許文献１乃至３に開示されている。
【０００４】
【特許文献１】特開平１１−３５３７４９（段落番号〔００２４〕図１）
【特許文献２】特開２０００−１０００３１（段落番号〔００１３〕〜〔００１５〕図３）
【特許文献３】特開２０００−１０００３２（段落番号〔００１２〕〜〔００１７〕図１）
【０００５】
ところで、光ディスク上に記録領域だけでなく、電子回路等の電気的回路をも搭載した形態の光ディスクが提案されている。しかしながら、光ディスクとディスクドライブ装置は、電気的には完全に絶縁された状態で動作することと、光ディスクが高速で回転すること等に起因して、光ディスク上に搭載された電子回路と、ディスクドライブ装置側の内部回路との間の信号送受信は簡単には行なえない。
【０００６】
かかる種類の光ディスクのディスクドライブ装置として提案されているのは、光ディスク側とディスクドライブ装置側での信号の送受信に無線信号を利用するものである。例えば、光ディスク面とディスクドライブ側にそれぞれアンテナを形成しておき、このアンテナを介して無線信号の送受信を行うものである（特許文献４）。現在の主流は、このような無線による信号授受である。
【０００７】
【特許文献５】特開平８−１６１７９０（段落番号〔００２０〕〜〔００２５〕図１）
【０００８】
また、光ディスク側とディスクドライブ側にそれぞれ発光／受光回路を形成しておき、この発光／受光回路を介しての光信号の送受信を行なう構成も考えられるが現実の提案はない。
【０００９】
更には、当該電子回路と、ディスクドライブ装置側の内部回路との間の信号送受信を、ディスクドライブ装置による回転を停止させた状態で行う構成も提案されている（特許文献５参照）。
【特許文献５】米国特許第５，１１９，３５３号（Ｆｉｇ．２  第４、５欄）
【００１０】
また、特許文献６には、図６（Ａ）と（Ｂ）に示すような構造のディスクドライブ装置が開示されている。
【特許文献６】特開平５−５４４６０号公報（図１、段落番号〔００１３〕〜〔００２８〕）
【００１１】
このディスクドライブ装置は、ディスク６１０内に固体メモリ６１２を埋設しておき、固体メモリ６１２の入出力端子ＤＩ、ＤＯ、ＣＳ、ＳＣＫ、ＶＤＯからはリード線６１３ａ〜６１３ｆが引き出され（固体メモリ６１２内に埋設）、各リード線に対応させて同心円状のリング状端子６１４ａ〜６１４ｆがディスク表面に形成されている。一方、クランパ６１５の上面側に、固体メモリ６１２の入出力端子にリード線を介して接続されるべき外部接触端子６１７ａ〜６１７ｆが設けられ、これら外部接触端子は信号伝達媒体（具体的構成不明）を介してデータ入力部６２０に電気的に接続されている。
【００１２】
クランパのディスク対向側には凹部７００が設けられ、この凹部７００に先端が先鋭な接触端子６１６ａ〜６１６ｆがディスク表面に存在するリング状端子６１４ａ〜６１４ｆに対向して半径方向に沿って並設されている。接触端子６１６ａ〜６１６ｆは、コイルバネ６１８によって下方に付勢されている。また、各接触端子６１６ａ〜６１６ｆと同形状のダミーピン６１６ｇ〜６１６ｌが各接触端子６１６ａ〜６１６ｆの同一線上に設けられている。これらダミーピン６１６ｇ〜６１６ｌも同様に、各リング状端子６１４ａ〜６１４ｆの間隔に合わせて設けられている。
【００１３】
光ディスク６１０がクランパ６１５の凹部７００を除いた光ディスク６１０との当接面によってクランプされると、クランパ６１５の突起６１５Ａが光ディスク６１０の中心孔６１０Ａに嵌り込むことによってクランパ６１５に対する光ディスク６１０の位置決めが行われる。このとき、クランパ６１５の各接触端子６１６ａ〜６１６ｆは各リング状端子６１４ａ〜６１４ｆの間隔に位置合わせされて設けられているため、クランプ時においては各接触端子６１６ａ〜６１６ｆと各リング状端子６１４ａ〜６１４ｆとの対応がとられる。
【００１４】
そして、各接触端子６１６ａ〜６１６ｆは、コイルバネ６１８によって下方に付勢されているため、各リング状端子６１４ａ〜６１４ｆに対する電気的接触が行われる。
【発明の開示】
【発明が解決しようとする課題】
【００１５】
上述のように、従来は、ディスク表面に搭載されている電子回路とディスクドライブ装置の内部回路間の信号の送受信は、主にディスク面とディスクドライブ側にそれぞれを形成したアンテナを介しての無線信号の送受信を行なう。しかしながら、かかるアンテナの形成には無線信号の周波数用に適合するような形状パラメータでの形成が必要であり、ディスク面上へのかかるアンテナの形成は高精度なエッチング手法を要するだけでなく、無線周波数への／無線周波数からの周波数変換回路を形成する必要もあり、低コストが大きな有益性をもつ光ディスクにとって大きな問題となる。
【００１６】
特に、光ディスクの場合、表面に薄いアルミ等の金属膜が形成されているため、その表面に密着されて（ミクロンオーダー）形成されているアンテナの電波授受に障害要因となる。このことは他のディスクについても同様であり、ディスクドライブ装置を含め、ディスク近傍に電波障害の原因となる多くの金属部材が存在するので問題となる。また、数千ｐｐｍで高速回転しているディスク上に搭載されているアンテナは、物理的にも電気的にも不安定になるおそれがあるだけでなく、送信電力の大きさによっては外部に電波が漏れて電波盗聴の恐れも生ずるし、逆に外部からの電波妨害の問題も生じてくる。更に、アンテナ配置方向も送受信感度に大きな影響を与え、安定な送受信感度を得ることができない。また、アンテナを含む無線部をディスクに搭載するには、規格及びバランスを考えると、可能な限り薄型化、小型化しなければならず、性能との関係で問題が生ずる。これらの問題は、アンテナが搭載されているディスクがきわめて高速に回転「しているので更に顕著になってくる。
【００１７】
また、ディスク側とディスクドライブ装置側に形成した発光／受光回路を介しての光信号の送受信を行なう構成においては、回転体であるディスクと静止体であるディスクドライブ装置間では、位置関係がきわめて高速で変化するため、その構成の実現はきわめて困難である。
【００１８】
更には、ディスクドライブ装置による回転を停止させた状態で、電子回路とディスクドライブ装置側の内部回路との間の信号送受信を行なう場合には、ディスク回転中にディスクとディスクドライブ装置側との信号送受信を行なうことはできず、リアルタイムでの信号処理は不可能である。
【００１９】
また、特許文献６に開示されているディスクドライブ装置は、非常に複雑な構成でコスト高となるだけでなく、安定かつ確実な動作を実現することが殆ど不可能である。以下、その問題点をより具体的に説明する。
【００２０】
各接触端子６１６ａ〜６１６ｆは、その先端が先鋭で、クランパの凹部７００内のコイルバネ６１８によって下方に付勢されるように構成されてリング状端子に電気的に接触されている。しかしながら、これらの接触端子６１６ａ〜６１６ｆは、電気的接触を行うためのみの目的でコイルバネ６１８により付勢されており、ディスクを回転させる際のずれや滑りのないようにしっかりとディスクを把持、保持するというクランプ機能とは基本的に異なり、クランプ機能を有していない。クランプ機能を果たすのはクランパ６１５のディスク６１０と面接触している上記凹部７００を除いた部分である。先端が先鋭な接触端子６１６ａ〜６１６ｆは、クランパの凹部７００内のコイルバネ６１８によって下方に付勢されているからディスク６１５を下方向（垂直方向）に押圧してリング状端子と電気的に接触されるものの、基本的に点接触であるから、水平方向（回転方向）に対してのずれや滑りを抑止できずクランプ機能を果たさない。また、コイルバネ特性やその特性劣化等により電気的な接続は不安定とならざるを得ない。
【００２１】
また、固体メモリは小さいから、そこからの入出力端子の間隔も狭く、したがって、ディスク表面に径方向に形成するリング状端子の形成間隔も狭く、形成が難しく、その結果、例えばＣＤプレーヤのような携帯型装置や、車載ＣＤプレーヤ装置等の場合には、外力によりクランパとディスクの相対位置がずれてしまうこともあり、その場合には、接触端子と本来接触すべきリング状端子との接触が外れ、ときに、隣のリング状端子と接触する恐れさえ生ずる。このことはディスクが数千回転／秒で高速回転することを考えれば、さらに深刻な問題となる。更に大きな問題は、このように狭間隔で、それぞれコイルバネを有し長手方向の複数の接触端子をクランパ凹部に高精度で設置することはきわめて困難であり、また、これらの接触端子をディスク上の狭間隔で設置されたリング状端子に正確に位置合わせすることも極めて困難であり、現実的には実用化が不可能である。
【００２２】
更に、接触端子コイルバネ６１８によって下方に付勢されて初めてリング状端子との電気的接触が可能となるが、長時間使用によりコイルバネが劣化した場合には、スペース上、また複雑な構成であることから使用不可能となってしまうこともあるし、接触圧が変化し電気的接続特性も劣化してしまう。
【００２３】
また、固体メモリはディスクに埋め込まれているため、製造工程が複雑化し、リード線も固体メモリとともにディスクに埋め込まなければならず、更には表面に露出させたリード線に接続してリング状端子を径方向に高精度で形成しなければならずコストが著しく高くなるだけでなく、一旦埋設してしまった固体メモリの交換は不可能である。
【００２４】
更にまた、固体メモリから取り出すリード線は真上方向に配置するのが製造上効率的であるため、固体メモリの真上にリング状端子が配設されるのが通常で、固体メモリと、電気的接続の対象となるリング状端子を、離隔して配設することは困難であり、構造の複雑化とコスト増の大きな要因となる。
【００２５】
更に、固体メモリは高々１ミリ程度の厚みのディスク内に埋め込まれており、外部からの衝撃に弱い半導体にとっては大きな問題が生ずる。固体メモリが埋設されているディスク表面はクランパの凹部内のスプリングバネで付勢されている接触端子の先端部が常時点接触圧力を受けて突き当たっており、特にディスクを最初にクランプするときには大きな圧力となって埋設されている固体メモリに衝撃を与える。当該ディスクドライブ装置によるディスク再生、記録の都度、このような衝撃が固体メモリに加わるのであるから固体メモリに与える影響は見過ごすことができない問題であり、長寿命化の面での問題もある。
【００２６】
また特に、この構造では、固体メモリとの電気的接続は、クランパの存在が大前提であり、クランパのないディスクドライブ装置では採用不可能である。
【００２７】
そこで、本発明の目的は、上述課題を悉く解決し、低コスト、簡単な構成でディスク側とディスクドライブ装置側間で信号の確実な送受信を可能とするディスクドライブ装置、ディスク駆動方法及びディスクを提供することにある。
【００２８】
本発明の他の目的は、ディスクと外部装置間の電気信号の確実な送受信を可能としてディスク利用分野の拡張性を格段に改善する低コストで簡単な構成のディスクドライブ装置、ディスク駆動方法及びディスクを提供することにある。
【００２９】
本発明の更に他の目的は、低コスト、簡単な構成でディスク側とディスクドライブ装置側間で複数信号の確実な送受信も可能とするディスクドライブ装置、ディスク駆動方法及びディスクを提供することにある。
【００３０】
本発明の他の目的は、クランパをもたないディスクドライブ装置への適用が可能なディスクドライブ装置、ディスク駆動方法及びディスクを提供することにある。
【００３１】
なお、本発明は、ディスク側とディスクドライブ装置側間の信号の授受態様のすべてを意味し、“送信”、“受信”、“送信及び受信”等のすべての電気的情報、信号、電力等のやりとりの態様を含む。
【課題を解決するための手段】
【００３２】
上述課題を解決するため、本発明によるディスクドライブ装置、ディスク駆動方法及びディスクは次のような特徴的な構成を採用している。
【００３３】
（１）中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられたディスクが載置されるターンテーブルを備えるディスクドライブ装置であって、
前記ターンテーブルは、前記ディスクの前記中央凹部の前記第1の底部を含む外周部を収納し、磁性材又は磁石を有し、前記第１の底部の裏面と対向し、前記第１の導電部と対向する第２の導電部が形成された第２の底部を有する第２の凹部を備え、
前記第１の導電部と前記第２の導電部間が前記磁石または磁性材に基づく磁力によるクランプ機能によって密着され、電気的に接続されるディスクドライブ装置。
（２）中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられたディスクが載置されるターンテーブルを備えるディスクドライブ装置であって、
前記ターンテーブルは、前記ディスクの前記中央凹部の前記第1の底部を含む外周部を収納し、磁性材又は磁石を有し、前記第１の底部の裏面と対向し、前記第１の導電部と対向する第２の導電部が形成された第２の底部を有する第２の凹部を備え、
前記第１の導電部と前記第２の導電部間が前記磁石または磁性材に基づく磁力によるクランプ機能によって密着され、電気的に接続されるディスクドライブ装置。
（３）中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられたディスクが載置されるターンテーブルを備えるディスクドライブ装置の前記ターンテーブルは、前記ディスクの前記中央凹部の前記第1の底部を含む外周部を収納し、磁性材又は磁石を有し、前記第１の底部の裏面と対向し、前記第１の導電部と対向する第２の導電部が形成された第２の底部を有する第２の凹部を備え、前記第１の導電部と前記第２の導電部間が前記磁石または磁性材に基づく磁力によるクランプ機能によって密着され、電気的に接続されることにより前記第１の導電部と前記第２の導電部間で信号の授受を行うディスク信号処理システム。
（４）中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられたディスクが載置されるターンテーブルを備えるディスクドライブ装置の前記ターンテーブルは、前記ディスクの前記中央凹部の前記第1の底部を含む外周部を収納し、磁性材又は磁石を有し、前記第１の底部の裏面と対向し、前記第１の導電部と対向する第２の導電部が形成された第２の底部を有する第２の凹部を備え、前記第１の導電部と前記第２の導電部間が前記磁石または磁性材に基づく磁力によるクランプ機能によって密着され、電気的に接続されることにより前記第１の導電部と前記第２の導電部間で信号の授受を行うディスク信号処理システム。
（５）中央部に形成された中央凹部の第1の底部は磁石又は磁性材を有し、前記中央凹部には少なくとも1個の電子機能部が設けられ、前記第１の底部の裏面には前記電子機能部と電気的に接続された第１の導電部が設けられているディスク。
（６）中央部に磁石又は磁性材部を有し、所定部位に少なくとも１個の電子的機能部が設けられ、前記ターンテーブルとの対向面には前記電子的機能部が電気的に接続されている導電部が設けられているディスク。
【発明の効果】
【００３４】
本発明によれば、ディスクとディスクドライブ装置間での確実な信号送受信を可能とすることにより、ディスクと外部装置間の電気信号の確実な送受信を可能とし、つまり、ディスクに記録されている情報の読み出しやディスクへの書き込みは勿論、当該ディスク上に搭載されている１または複数の電子回路（信号処理回路やメモリ等の回路動作に必要な構成、バッテリ等を含み、総称して電子的機能部と称する）と外部装置間の信号送受信を簡単な構成で可能とすることができる。また、ディスクへの電子回路への電源供給やディスクに搭載したバッテリへの電源の供給等の他態様の機能を簡単かつ確実に達成することができる。したがって、それぞれのディスク上に形成された１または複数の電子回路の機能に基づく固有の動作を規定することができるようになり、ディスクを用いた利用分野の拡張性が格段に改善される。更に、通常のディスク表面に薄膜ＩＣ等の電子回路と、この電子回路と電気的に接続された薄膜等の導電部を形成するだけで、著しい応用範囲が拡張される新たな構成のディスクが最小限のコスト上昇で得られる。また、かかるディスクにアクセスするためのディスクドライブも簡単な構成の追加だけで済み、コスト上昇を最小限に抑えたディスクドライブ装置が得られる。このような効果は、きわめて廉価でありながら大きな記録容量が得られる光ディスクを用いる場合に特に顕著となる。そして、本発明によれば、ディスクとディスクドライブ装置間の信号授受を速度やデータ量に殆ど制約がなく高速かつ安定に行うことができるようになる。
【００３５】
特に、本発明では、ディスク回転中であってもディスク搭載電子回路に接続されている導電部と、ディスクドライブの当該ディスクを一体的に回転させるための保持、把持部（例えば、ディスク中央部に設けた磁性材料または磁石を磁気的に吸着する磁石または磁性材料が形成された中央部位）に形成された導電部とが直接接触して電気的に接続されるため、ディスク側とディスクドライブ側の導電部間は強力な圧接力（通常は面圧力）で把持、クランプされているので安定かつ確実な電気的接続が得られる。ディスク表面に形成された金属膜や、その周辺の金属部材による電波障害は全く問題とならないし、外部への電波等による電波漏れに起因する盗聴の恐れも全くなく、外部からの電波妨害の問題も生じることなく、また信号授受（通信）速度の制約もない。
【００３６】
更に本発明では、ディスクとディスクドライブ装置側の導電部間を確実に接続する各種態様の電気的経路が簡単に得られ、これら種々の接続態様を同時にまたは適宜いくつかを組み合わせて用いることにより多種多様な応用分野が得られる。
【００３７】
また、本発明では、電子回路と電気的に接続される導電部は、いずれもディスク表面上に薄膜形成で構成でき、この導電部薄膜に直接的に接触する導電部がディスクドライブ装置の上記中央部に形成されるだけであるから極めて簡単な構成である。しかも、上記中央部に形成される導電部は、回転させるのに必要なクランプ、把持、保持圧力を直接受け、ディスク側の導電膜と直接接触するような構成であるため、導電部がない場合と同じクランプ圧力が得られるだけでなく、両者を面導電部とすれば電気的接触が確実になり、しかもディスクと上記中央部との相対的位置関係が少々ずれても両者の電気的接触に影響は殆ど与えない。
【００３８】
すなわち、電気的接続は、ディスクに形成された導電部と、ディスクドライブ装置側の導電部間の電気的接触により行われるので、確実な接続が可能となる。上述を含め、この効果は特許文献６の構造との大きな相違点である。つまり、引用文献６では、コイルスプリングにより下方に付勢される先端先鋭なリング状端子がディスク表面の電極と電気的に接触するような構成であり、このリング状端子はディスクの回転のために当該ディスクを把持、保持、クランプする機能をもたない。クランプ機能を果たすのはクランパ６１５のディスクとの直接当接部である。したがって、特許文献６におけるリング状端子によるディスク表面の電極との電気的接続関係は、本発明と比較してはるかに劣るだけでなく、前述した数多くの問題点を内包する。
【００３９】
更に、本発明では、導電部の他部との接続は精度は全く要求されず、単に接続されていれば良く、電子回路と導電部の配置は任意で用途に応じて適宜位置に設けることができる。
【００４０】
また、本発明では、電子回路等はディスクドライブ装置側のクランパやターンテーブルと接触しない、つまりクランプ圧力を全く受けない位置に配設されているから、特許文献６のような、クランパ凹部内のスプリングバネで付勢されている接触端子の先端部からの常時の点接触圧力やクランプ圧力を受けることはなく、衝撃に弱い半導体回路、チップ等に衝撃を与えることはなくなり、長寿命化が図れる。
【００４１】
また、ディスク上に複数の導電部を有する電気的経路を容易に形成でき、電子回路への複数の信号ラインの形成や複数の電子回路への信号ラインの形成が可能となり、搭載回路の拡張が可能となる。
【００４２】
なお、かかる効果は、ディスクとディスクドライブ装置に限らず、同様な基本的原理に基づく構造を有するものでも得られる。本発明の他の効果は、以下の実施例の説明において明らかとなる。
【実施例】
【００４３】
以下、本発明の実施例の具体的構成例について図面を参照しながら説明する。
本発明は、ディスクを含む回転記憶媒体及びその媒体を回転駆動して信号授受を行うドライブ装置を対象とするものであるが、以下では、ディスクとしてＭＯディスク、ＭＤディスク、ＦＤディスクを用いた例を説明する。つまり、本発明は、ディスクドライブ装置の保持、把持手段によりしっかりと把持、保持、クランプされ、回転駆動されるディスクであれば任意のディスクやカード等（例えばＣＤ、ＤＶＤ、ＭＯ、ＭＤ、ＦＤ、ＨＤ等）に適用することができるが、以下ではＭＯディスク、ＭＤディスク、ＦＤディスクのような磁気力によるクランプ機構を利用する場合について説明する。
【００４４】
本発明によるディスクドライブ装置が適用されるＭＯディスクは、電子回路等が搭載されているディスクであり、その一例を示すディスク構成が図１に示されている。また、図２（Ａ）と（Ｂ）には、ＭＯディスク１とディスクドライブ装置側のターンテーブル１００の簡略化された要部断面図が示されている。更に、図３には、ターンテーブル１００にＭＯディスク１が装着された状態における簡略化された要部断面図が示されている。
【００４５】
図１において、ＭＯディスクやＭＤディスク１は、収納ケース（カートリッジ）に収納された状態で使用されるが、以下では、説明を簡単にするため収納ケースを取り外した状態で説明している。ＭＯディスク１は、例えば、中央部に例えば円形の中央凹部１０が形成され、中央凹部１０の中心部には開口穴５が設けられ、後述するターンテーブル１００の突出部１０１が挿入されて、ディスクの中心位置合わせが行われる。
【００４６】
中央凹部１０は、図２（Ａ）に示すように、例えば、円形の周壁部１１と底部１２で構成され、底部１２は磁石または磁性材を有する。磁石または磁性材は、ディスク１と一体形成されている底部に固定するように構成することができる。
【００４７】
ディスク１の一面側（本例では、ディスク１が載置されるターンテーブル１００との対向面側）にはイメージ、音楽、画像等のデータが記録される記録領域（例えば、ＲＡＭ領域や、所定のプログラムが格納されているプログラム記録部としてのＲＯＭ領域等）が形成されている。記録領域の径方向内側には、情報が記録されていない非記録領域が存在する。また、電子的機能部、例えば、メモリに格納されているプログラムに基づき、または独自に設計されている信号処理を実行したり、メモリ機能を有する電子回路（ＩＣ）４等がディスク１の中央凹部１０内に設けられている。電子回路４は、底部１２に接着剤等により接着固定しても良いし、確実に固定されるものであれば任意の固定構造を採用することができる。この中央凹部１０は、ターンテーブル１００側から見ると凸部となり、ターンテーブル１００は、図２（Ｂ）に示すように、この凸部が入り込む周壁部１０３で形成される凹部１０４と、その中心軸近傍に突出形成され、ＭＯディスク１の中央開口穴５が挿入される突出部１０１を備える。
【００４８】
ＭＯディスク１の中央凹部１０の底部１２には、少なくとも１個の電子回路４が設けられ、一方、中央凹部１０の底部１２の裏面（ターンテーブル１００との対向側）には、例えば、面状（必ずしも面状でなくともよい）の導電部２が設けられ、電子回路４（またはそこに接続されている導電部）と導電部２とを電気的に接続するための接続部３が底部１２を貫通して設けられている。ここで、導電部２、接続部３、電子回路４等の電気構成部は、底部１２や１０５とは必要な電気的絶縁が得られるように構成されている。電子回路４は、接続部３に直接接続されている必要はなく、電子回路４の入出力端子から底部１２に沿って延びた接続部を介して接続するように構成することが、電子回路４の設置や配線作業には都合が良い。
【００４９】
また、ターンテーブル１００の中央の突出部１０１は、ディスク１がターンテーブル１００上に載置される際、ディスクの開口穴５に挿入されて、ディスクの中心位置合わせが行われる。ターンテーブル１００の周壁部で構成される凹部１０４にディスク１の周壁部１１と底部１２から成る凸部が入り込む。ターンテーブル１００の凹部１０４の底部１０５は、同様な磁石または磁性部を有し、ディスク１の底部１２の磁石または磁性部との間の磁力により、ディスク１はターンテーブル１００に強固に固定され（クランプまたはチャッキングされ）、ターンテーブル１００の回転軸部１０２の回転によりディスクは回転駆動される。この状態で、ディスク１の下面に設けられた記録領域に形成されている光データが光ピックアップ等により読み出され、またそこにデータが書き込まれる。ここで、ディスク１側とターンテーブル１００側の底部１２と１０５の少なくとも一方に磁石が設けられて磁力によるディスク固定を可能とする。つまり、ディスクとターンテーブル側には磁気力により互いに密着させるような磁石や磁性材を設けることが好ましい。
【００５０】
一方、図２（Ｂ）に示すように、ターンテーブル１００の凹部１０４における底部１０５の上記ディスク１の導電部２との対応位置には導電部１０７が形成されている。
【００５１】
したがって、ディスク１がターンテーブル１００に正常に載置されると、導電部２と１０７が磁力によるクランプ圧力を受けて密着し、確実かつ安定な電気的接続を可能としている。本実施例では、面密着しているので電気的接続はより安定確実に行われる。
【００５２】
これら導電部２や１０７は、薄膜形成されている例を示し、実際には殆ど厚みは意識しなくて良い。勿論、厚みをもたせることができる。また、導電部２や１０７は、少なくとも一方を周方向全域にリング状に形成しておくことができるし、位置関係が確保できれば一部のみの形成でも良い。両方ともリング状とすれば、より確実な電気的接触が得られる。
【００５３】
導電部２と１０７を部分的に形成している場合には、どのような位置関係でもクランプ時に両者が電気的に接続されるように、両導電部を半周よりも長くすることができる。また、両者の位置関係を維持するための、後述するような物理的、電気的、電磁気的な位置合わせ構成を用いることは有益である。
【００５４】
電子回路４は、後述するように種々の構成を含み、ＣＰＵ、メモリ等の電子処理に必要な任意の構成要素やバッテリ等の任意の構成要素を含むこともあるし、これらの構成要素の一部を含むこともできることは勿論であり、薄膜化構成が望ましい。電子回路等とは、必ずしも電子的機能部だけでなく、光機能部等任意の機能部を意味し、入出力が電気的なものであれば何でも良い。
【００５５】
ディスク１のディスクドライブ装置によるクランプ(チャッキング、固定)機構により接触保持される部位としては、要するにディスクドライブ装置によりディスクを回転させる際に、ずれや滑りなくしっかりと接触把持、保持される部位すべてを含むものである。
【００５６】
電子回路４は、ディスクの任意の部位に設けることができるが、ディスクの回転時に他の部材と衝突、接触しないような位置に構成することが必要である。図１乃至図３に示す実施例では、ディスク１の中央凹部１０に設けているので、回転時の衝突、接触の心配はない。また、この中央凹部１０には、後述するように、複数個の電子回路を設けても良いし、例えば充電可能なバッテリ電源を設けることもできる。バッテリが設けられれば、電子回路４は同じ中央凹部１０に設けられているバッテリから電源供給を受けることができる。このバッテリは、取り外し可能とし、取り外して充電させることもできるし、本発明を利用して、導電部１０７と２を介して、装着したまま外部から充電することもできる。この電源は、電子回路４の動作用で消費電力は少ないので長時間動作が期待できる。
【００５７】
ディスク側にバッテリを設けずに電子回路に直接電源を供給することもできる。バッテリは、ターンテーブルのような回転体側に設けておけば、導電部１０７と２を介して、接続は相対的に静止状態で行われるので、電源供給はスムーズに行われる。
【００５８】
上述のようなバッテリの配置構成は、本発明に限定的に適用されるものではなく、ディスクとディスクドライブ側の導電部の電気的接触により電気的経路が確立されるような構造であれば、すべて適用できる。
【００５９】
電子回路４は、例えば、ディスク面のＲＯＭ領域に記録されているプログラムに基づく動作処理を実行する回路であり、処理結果は以下に説明するような形態でディスクドライブ装置側に送信される。また、逆にディスクドライブ装置側からの信号を受信する。電子回路４は、上述の如く、他の記録媒体に記録されているプログラムに基づく動作を行うようにしても良いし、動作が予め規定された動作を実行するように構成しても良く、メモリを含むことも当然に前提として想定しており、要するにその構成は任意であり、メモリ機能等を含め、電子的機能部とも称する。また、電子回路は、その入出力が電気信号であれば良く、処理は光処理等、任意である。
【００６０】
電子回路４の上記所定の処理としては、例えば、記録部に記録されている情報が暗号化されている場合に、その暗号化されている情報を読み出して予め定められているプログラムに基づいて解読するような処理がある。また、暗号化して書き込むときには、同様に、予め定められている暗号化プログラムに基づいて暗号化するようにすることもできる。
【００６１】
ここで、暗号化プログラムや解読プログラムをディスク毎に規定しておけば、ディスク毎に外部からの情報を一切必要としないクローズされた信号処理が可能となり、クローズされた固有の処理に基づく処理でない限りは当該ディスクへのアクセスを困難として高いセキュリティを確保することができる。また、暗号解読のためのキー（公開キーや非公開キー）を個別に外部から設定するようにすれば、より高いセキュリティが確保できる。更に、外部処理回路で処理された処理結果をディスクの記録部や電子回路のメモリ部に記録するようにすることもできる。こうすることにより、処理結果が、外部処理装置に残ることなく、ディスクの記録部としてのＲＡＭ領域のみに保存、記録され、しかも保存、記録処理するデータを電子回路で暗号化等の処理を施しておけば、第三者は、暗号化データを解読するためのキー情報を含む解読プログラムがない限り解読データを得ることができず、きわめてセキュリティの高いシステムが実現できる。また、ディスクに形成されている電子回路等と外部回路との信号送受信により、これまで想定されていなかった利用分野の著しい拡張が図られる。すなわち、電子回路は、ＣＰＵとして独自のプロセッサー機能、メモリとしての機能、独自処理態様の実行機能等を有するから、ディスクと機能的、有機的に関連した、従来想定されなかった利用分野への拡張が可能となる。これらは、本発明に限定的に適用されるものではなく、ディスクとディスクドライブ側間での信号授受が可能なすべての構造に適用できる。
【００６２】
以上では、電子的機能部としての電子回路４はディスクの中央凹部１０内に固定的に搭載される場合を想定しているが、電子回路４は、ディスク回転時に収納ケース（カートリッジ）内面に接触しないような設けることができれば任意の場所に設けることができる。例えば、非常に薄いＩＣ（電子回路であれば）、ディスク表面に設けることもできるし、ディスク内部に埋設させることもできる。この場合には、当該電子回路と導電部２を電気的に接続する電気的接続路は任意に構成できる。例えば、電気的接続路は、ディスクを貫通する接続路やディスク表面、内部に形成した接続路とすることができる。
【００６３】
また、電子回路４等を適宜取替え可能に搭載するような構成も有益である。この場合は、ディスクの電子回路の搭載場所に電子回路（チップ）を搭載係止する係止部を設けておき、この係止部に電子回路（チップ）を取り付け、係止させれば良い。係止部には外部との接続部を固定的に配設、接続しておくことができる。この実施例は、電子回路等が搭載されるディスクすべてに適用可能であることは勿論である。
【００６４】
かかる構成によれば、搭載されている電子回路が故障したときには新たな電子回路に取り替えられる。また、ユーザやディスクに特有な電子回路、電子的機能部を簡単に搭載でき、例えば、ディスク、ユーザ毎に異なる暗号情報、ＩＤ情報等の情報をもたせることが可能となる。したがって、使用時のみ電子回路を搭載し、使用終了時に電子回路を取り外しておけば、第３者によるアクセスが不可能となり、セキュリティが格段に改善される。
【００６５】
さて、図２（Ｂ）及び図３を参照すると、ディスクドライブ装置側のターンテーブル１００導電部１０７は、外部回路、例えば、ディスクドライブ装置の内部の回路（例えば、プリント基板：ＰＷＢ４００で外部のパソコン等と信号が授受される）に接続される。この導電部１０７と内部回路との間の接続は、ターンテーブル１００をディスク１とともに回転させる回転軸部１０２の先端部に回転軸に沿って、または回転軸中心に沿って設けられた接続インタフェース部３０１と、この接続インタフェース部３０１と離隔位置に設けられ、内部回路のプリント基板４００に接続された接続インタフェース部３０２とを介して行われる。導電部１０７から接続インタフェース部３０１への接続は、回転軸部１０２の内部または外周に沿って設けた電気接続線（例えば、ワイヤ）１０６によって行うことができる。
【００６６】
接続インタフェース部３０１と３０２間の接続は、接続インタフェース部３０２を離隔させずスリップリング（ブラシ）のような電気的接続で行うことができる。この接続は、ノイズの影響が少ないディスク１側の電子回路に電源を供給させる場合に有効である。また、両接続インタフェース部３０１と３０２にそれぞれ設けられたフォトトランジスタのような光電変換手段や、アンテナを有する無線手段等を用いることができる。以下に説明する実施例では、フォトトランジスタを接続インタフェース部３０１と３０２にそれぞれ設けておき、導電部１０７からの電気信号を接続インタフェース部３０１側のフォトトランジスタで光信号に変換して接続インタフェース部３０２側のフォトトランジスタに送光する。
【００６７】
なお、接続インタフェース部３０１とはあくまでもインタフェース機能を有することを意味し、当該部に光電変換手段やドライブ回路等のような構成要素をもたなくとも良く、これらは、接続線１０６の経路中、またその両側のいずれかの位置に設けておいても良い。例えば、回転軸端部やプリント基板側の接続インタフェース３０１や３０２として光ファイバを設けて、光ファイバ間で光信号の授受を行うこともできる。このことは、無線を利用した場合も同様であり、端部にはアンテナのみを設ければ良く、他の構成部はそれ以外の部位に設けることができる。なお、接続インタフェース部３０１と３０２は、以上の部位以外に設けても良いことは勿論である。
【００６８】
さて、接続インタフェース部３０２のフォトトランジスタで受光した光信号は電気信号に変換され、変換された電気信号がプリント基板４００の回路部（回転部）に送出される。逆に、プリント基板４００からの電気信号をターンテーブル１００の導電部１０７とディスク１の導電部２（接続部３）を介してディスク１の電子回路４に送出する場合も同様な経路で信号送出が行われる。
【００６９】
このように、回転軸部１０２の回転軸中心（回転軸に沿って）に近接して設けられた光学手段や無線手段による接続は、互いが接近しているから、光や電波の強度が弱くとも接続（通信）が可能となり、また、外部に漏れる恐れも殆どなく、外部からの妨害や雑音の影響の影響もきわめて少なくできるのでセキュリティ面でも有効である。すなわち、回転軸部１０２の軸心に沿った光学手段や無線手段の設置は、回転軸部の回転に起因する信号光のブレが少なくて済むし、また、無線手段により信号送受信を行なう場合も効率的な送受信が可能となる。これらは、以下で説明するすべての実施例を含み、ディスクドライブ装置の回転部材と静止部材間の信号授受に利用され、同様な効果が得られる。
【００７０】
なお、ターンテーブル１００側の導電部１０７からディスクドライブ装置側の回路との信号授受を回転軸部１０２側ではなく、突出部１０１側（上方部）に設けた接続インタフェース部３０１と、例えば、ディスクドライブの筐体上面側に設けた接続インタフェース部により行うこともできる。この場合には、ディスク収納ケースの対応部は電気的、光学的又は無線的に開口されている構成とする。例えば、光を通過させるように穴を設けたり、透明材で形成したり、また電波が透過するような材料による構成を用いることができる。接続インタフェース部３０１との対向側には接続インタフェース部３０２が設けられ、両接続インタフェース部３０１と３０２間で各種信号（電源信号を含む）の授受が行われる。
【００７１】
以上の実施例では、ディスクには一つの導電部２が形成されている例を説明しているが、導電部をディスクの周方向離隔位置に複数個形成し、一方、回転駆動時に当該ディスクの複数個の導電部のそれぞれと電気的に接続されるディスクドライブ装置側（ターンテーブル側）に対応する複数個の導電部を形成しておくことにより、各導電部を介して複数の電気的経路が形成することができる。
【００７２】
図４には、２個の電子回路４Ａ、４Ｂを中央凹部１０に設けた構成例が示されている。また、図５には、図４に示すディスクをターンテーブルに載置したときの簡略化した要部断面図が示されている。これらの実施例は、基本的に図２や図３の構成と同様である。
【００７３】
電子回路４Ａと４Ｂが設けられた底部１２の反対面には、接続部３Ａと３Ｂを介して電子回路４Ａと４Ｂに接続されている導電部２Ａと２Ｂが形成されている。ターンテーブル１００の底部１０５の対応部には、磁力により密着されて導電部２Ａと２Ｂと電気的に接続される導電部１０７Ａと１０７Ｂが形成されている。導電部１０７Ａと１０７Ｂは、接続部１０６Ａと１０６Ｂを介して接続インタフェース３０１（１個で共用も可能であるし、対応して設置可能、本例では１個のみ示す）に接続され、対応する接続インタフェースとがインタフェース接続される。
【００７４】
このように、ディスク側とターンテーブル側のそれぞれに複数個の導電部が形成されている場合には、それぞれの導電部間の位置合わせが必要となることがある。すなわち、ディスクドライブ装置や外部装置（パソコン）等の特定回路部との信号授受関係が特定されている場合には、当該導電部が接続されている電子回路と対応する特定回路との電気的接続関係は固定される必要がある。そのための手段は種々考えられ、例えば、ディスク１とターンテーブル１００側にそれぞれ目印を付けたり、物理的特定形状部を設け、これら物理的特定形状部の相対的関係により位置決めすることができる。また、両者に電気的、磁気的な関係を定めておき、それらの関係で位置決めすることもできる。例えば、磁石をそれぞれに設けておき、両磁石の磁力によって一律な位置決めをすることができる。
【００７５】
例えば、ディスク１の中央凹部１０の所定部位に径方向のスリット（穴）を形成し、一方、ターンテーブル１００の突出部１０１の外周壁には当該スリット（穴）が入り込む凸部を設け、ディスク１のスリット（穴）に凸部を入り込ませ（嵌合させ）、両者の対応位置関係を一義的に位置付けることができる。ここでの位置決めは、対応する導電部間が確実に接触するような位置決めであり、導電部の幅は比較的広いので、スリット（穴）や凸部の配設位置は高精度である必要はない。
【００７６】
また、ディスクとターンテーブル側の一義的位置決めを行うことなく、導電部からの出力を受けて切り替え出力する切り替え手段を設け、対応する信号を選択的に対応する接続先に送出するように構成することもできる。この場合には、信号に何らかの識別信号を含ませ、受信した信号の識別信号を判別し、判別結果に基づいて対応する接続先への送出を行うことができる。この切り替え手段は、外部回路側に設けることができることは勿論である。
【００７７】
本発明では、複数個の導電部２や１０７が図示のように周方向に形成されているため、引用文献６のもつ欠点を解消できる。例えば、引用文献６では、接触端子６１６は径方向に配設されており、しかも配設可能な領域は非常に狭いため、前述した欠点があるだけでなく、配設接触端子の数も大きな制約がある。一方、本発明では、ディスクの周方向に導電部が形成されるため、形成可能な導電部の数は格段に増加し、設計の自由度も格段に向上する。
【００７８】
以上の説明において、ディスク側とディスクドライブ装置側の各導電部は常に対応して形成されている必要はなく、一方に対応する導電部が存在しなくとも、当該存在しない導電部に関連する機能を無効とすることができる。したがって、ディスク側に形成する導電部は、ディスク特有にその数や位置を定めておき、ディスクドライブ装置側では、ディスク側に形成されている導電部との間でのみ信号の授受を行うことができる。したがって、また、ディスクが導電部等をもたない通常のディスクであっても、ディスクドライブ装置は通常の動作をし、互換性が維持できる。
【００７９】
上述実施例の説明では、ＭＯディスク、ＭＤディスク、ＦＤディスク等のような収納ケース（カートリッジ）に収納されている回転記憶媒体を対象としているが、収納ケースは必ずしも必要ではなく、ディスクとディスクドライブ側のディスク保持部が磁気力により密着（吸着）されるような構造を採用しているディスクとディスクドライブについてはすべて適用可能である。
【００８０】
以上、本発明によるディスクドライブ装置並びにディスクの好適実施例の構成を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。
【００８１】
なお、ディスクドライブ装置によりディスクの電子回路から取得した情報を外部のコンピュータ等の処理装置で処理し、また当該処理装置で処理された信号又は電子回路で処理された信号をディスクのＲＡＭ領域や電子回路内または別設のメモリ等に書き込むように構成することもでき、その処理は任意である。
【００８２】
ディスクの中央凹部に複数個の電子回路を搭載する場合には、ディスク中心から対称位置にそれぞれの電子回路を設置するようにすればディスク全体のバランスを維持できるようになる。
【００８３】
以上の説明から明らかなように、本発明は、電子回路を搭載していない通常のディスクであっても使用可能である。すなわち、電子回路を搭載していないディスクを本発明によるディスクドライブ装置に利用した場合には、ディスクドライブ装置側の導電部には、何らの導電部が接触するわけではないので、通常のディスクドライブ装置として動作することになる。
【図面の簡単な説明】
【００８４】
【図１】本発明によるディスクの構成を模式的に示す斜視図である。
【図２】本発明によるディスクとターンテーブルの構成を模式的に示す簡略化された断面図である。
【図３】本発明によるディスクがターンテーブル上に載置されている状態における構成を模式的に示す簡略化された断面図である。
【図４】本発明によるディスクの他の構成を模式的に示す斜視図である。
【図５】図４に示すディスクがターンテーブル上に載置されている状態における構成を模式的に示す簡略化された断面図である。
【図６】従来のディスクドライブ装置の構成を説明するための模式化された要部の概略断面図である。
【符号の説明】
【００８５】
１                  光ディスク（ＭＯディスク）
２、２Ａ、２Ｂ、１０７、１０７Ａ、１０７Ｂ  導電部
３、３Ａ、３Ｂ      接続部
４、４Ａ、４Ｂ      電子回路
５                  開口穴
１０６、１０６Ａ、１０６Ｂ    接続部
１０                中央凹部
１２、１０５        底部
１００              ターンテーブル
１０１              突出部
１０２              回転軸部
１０３              周壁部
１０４              凹部
３０１、３０２      接続インタフェース部
４００              プリント基板（ＰＷＢ）
【図１】
2006344269.tif 000003
【図２】
2006344269.tif 000004
【図３】
2006344269.tif 000005
【図４】
2006344269.tif 000006
【図５】
2006344269.tif 000007
【図６】
2006344269.tif 000008